(57)【要約】 【課題】  記憶容量が少ない低価格のＩＣカードを用いても、大規模なネットワークシステムを構築することなく安全かつ正確な前払い式課金清算システムを提供する。【解決手段】  ネットワーク的に独立した複数のリーダライタ２と換金清算装置で運用し、課金対象機器を連続して使用する時のみに有効な認証情報記憶領域７ａ，７Ａを随時創成してＩＣカード１とリーダライタ２の認証を行う構成とする。【選択図】  図１
2007011695.tif 000002
【特許請求の範囲】
【請求項１】
少なくとも２つの非接触ＩＣカードもしくは非接触ＩＣタグと、少なくとも２台のリーダライタを用いた前払い式課金清算システムであって、前記非接触ＩＣカードもしくは非接触ＩＣタグは、前記リーダライタとの認証を行うための認証情報の記憶領域と、課金情報の記憶領域を有し、前記リーダライタは、前記非接触ＩＣカードもしくは非接触ＩＣタグとの認証を行うための認証情報の記憶領域と、課金情報の記憶領域と、前記非接触ＩＣカードまたは非接触ＩＣタグの初期状態を判別する使用識別情報の記憶領域と、清算識別情報の記憶領域とを有してなり、前記非接触ＩＣカードもしくは非接触ＩＣタグの少なくとも１つは、課金情報の更新用カードとして機能し、少なくとも１つは清算用カードとして機能し、前記リーダライタの少なくとも一台は、課金対象手段が接続されてなるとともに課金情報の更新用リーダライタとして機能し、少なくとも一台は清算用リーダライタとして機能することを特徴とする前払い式課金清算システム。
【請求項２】
使用開始前に前記更新用カードの前記認証情報の記憶領域にあらかじめ記憶された初期認証情報と、前記リーダライタの前記使用識別情報とが一致することを特徴とする請求項１記載の前払い式課金清算システム。
【請求項３】
前記清算用カードの前記認証情報の記憶領域にあらかじめ記憶された清算認証情報と、前記リーダライタの清算識別情報とが一致することを特徴とする請求項１または２記載の前払い式課金清算システム。
【請求項４】
前記リーダライタと前記更新用カードの認証情報照合工程と、前記更新用カードの課金情報を前記リーダライタの課金情報として記憶する工程と、前記リーダライタによる新認証情報の創成工程と、前記新認証情報を前記更新用カードおよび前記リーダライタの認証情報として記憶する工程と、前記リーダライタが前記課金対象手段を始動させる工程と、前記リーダライタと前記更新用カードの認証情報再照合工程と、前記リーダライタによる新認証情報の再創成工程と、前記再創成された新認証情報を前記更新用カードおよび前記リーダライタの認証情報として記憶する工程と、前記課金対象手段の課金情報に対応するよう前記更新用カードの前記課金情報を更新する工程と、前記リーダライタが課金対象手段の動作を停止させる工程とからなり、前記認証情報照合工程または前記認証情報再照合工程において、前記更新用カードの前記認証情報と前記リーダライタの前記認証情報が一致する場合のみ、次工程に進むことを特徴とする請求項１乃至３のいずれか記載の前払い式課金清算システム。
【請求項５】
前記リーダライタと前記更新用カードの認証情報照合工程と、前記更新用カードの課金情報を前記リーダライタの課金情報として記憶する工程と、前記リーダライタによる新認証情報の創成工程と、前記新認証情報を前記更新用カードおよび前記リーダライタの認証情報として記憶する工程と、前記リーダライタが前記課金対象手段を始動させる工程と、前記リーダライタと前記清算用カードの認証情報照合工程と、前記リーダライタの課金情報を前記清算用カードの課金情報として記憶する工程と、前記リーダライタの課金情報を消去する工程と、前記リーダライタと前記更新用カードの認証情報再照合工程と、前記リーダライタによる新認証情報の再創成工程と、前記再創成された新認証情報を前記更新用カードおよび前記リーダライタの認証情報として記憶する工程と、前記更新用カードの前記課金情報を消去する工程と、前記リーダライタが課金対象手段の動作を停止させる工程とからなり、前記認証情報照合工程または前記認証情報再照合工程において、前記更新用カードの前記認証情報と前記リーダライタの前記認証情報が一致する場合のみ、次工程に進むことを特徴とする請求項１乃至４のいずれか記載の前払い式課金清算システム。
【請求項６】
前記更新用カードに前記認証情報として前記初期認証情報が記憶されている場合は、前記認証情報照合工程の前に、前記リーダライタは、新認証情報を創成し、前記更新用カードおよび前記リーダライタの前記認証情報として前記新認証情報を記憶する使用開始処理を実行することを特徴とする請求項４または５記載の前払い式課金清算システム。
【請求項７】
前記清算用リーダライタの前記清算識別情報と前記清算用カードの認証情報を照合する工程と、前記清算用カードの課金情報に基づいて換金する工程と、前記清算用カードの課金情報を消去する工程からなり、前記清算識別情報と前記清算用カードの認証情報が一致する場合のみ、次工程に進むことを特徴とする請求項１乃至３のいずれか記載の前払い式課金清算システム。
【請求項８】
前記新認証情報の創成工程または前記新認証情報の再創成工程において、前記リーダライタは、乱数発生手段を有し、前記乱数値もしくは、前記乱数を変形または暗号化した値を前記新認証情報として創成することを特徴とする請求項１乃至７のいずれか記載の前払い式課金清算システム。
【請求項９】
前記リーダライタまたは前記更新用カードの認証情報のいずれか一方もしくは両方を固有の演算方式で変形または暗号化して得た値同士を照合して前記認証情報照合工程または前記認証情報再照合工程を実行することを特徴とする請求項１乃至８のいずれか記載の前払い式課金清算システム。
【発明の詳細な説明】
【技術分野】
【０００１】
本発明は、ＩＣカードまたはＩＣタグおよびそれを用いた課金清算システムに関するもので、特に非接触方式のＩＣカードまたはＩＣタグに好適な前払い式課金清算システムに関するものである。
【背景技術】
【０００２】
従来、電磁誘導方式、電磁波、電波を用いた非接触ＩＣカードもしくは非接触ＩＣタグを用いた前払い式の課金清算システムが使用されている。非接触ＩＣカードや非接触ＩＣタグの真贋や正当性を認証する方法として、例えば、非接触ＩＣカードや非接触ＩＣタグ内のメモリに記録されている認証用データと、非接触ＩＣカードや非接触ＩＣタグのリーダライタ内のメモリに記録されている認証用データを、直接比較するか、もしくは暗号計算された方法で比較し、結果が一致した場合にのみ、非接触ＩＣカードや非接触ＩＣタグの他のメモリエリアにアクセスを許可する方法などがあり、例えば特許文献１に示されている。
【０００３】
図４は、従来の非接触ＩＣカードもしくは非接触ＩＣタグ（以下、ＩＣカードまたはカードと総称して記載）とリーダライタの構成を示した図である。
【０００４】
ＩＣカード１内部には、制御回路６とメモリ７があり、メモリ７には認証情報記憶領域およびその他の情報の記憶領域がある。認証情報記憶領域には、ＩＣカードの個別認証情報があらかじめ記憶されている。また、制御回路６に接続された送信回路４と受信回路５はアンテナ３に接続され、ＩＣカード用のリーダライタ２と通信する。リーダライタ２内部には、インターフェース９を有するＣＰＵ８とメモリ７があり、メモリ７には認証情報記憶領域およびその他の情報の記憶領域がある。また、認証情報記憶領域には、ＩＣカードの個別認証情報があらかじめ記憶されている。ＣＰＵ８には、送信回路４および受信回路５が接続されており、アンテナ３を介して、ＩＣカード１と通信する。各々のメモリ７の認証情報が一致したときに、メモリ７のその他の情報の記憶領域にアクセスできる。
【０００５】
ＩＣカード１が比較的低価格であり、記憶容量も数十バイトから数百バイトと極めて少なく、かつ制御回路６とメモリ７からなる単純な論理回路で構成されている場合、ＩＣカードは、該ＩＣカードのメモリ７に初期値として記憶された認証情報と対となる認証情報を初期値として有するリーダライタ２としか通信できないという特徴を持つ。また、これらのＩＣカード１とリーダライタ２を用いた前払い式課金清算システムでは、前払いした金額分の利用権、いわゆるポイントを使い切る前に清算換金したい場合には、そのＩＣカード１の認証情報と対となる認証情報を有するリーダライタ２でしか換金清算を行うことができないという問題があった。
【０００６】
また、前述の換金清算に伴う不具合は生じないものの、ＩＣカードから見たリーダライタの選択の自由度を増やすために、ＩＣカードに認証情報を保有させない方法も考えられる。しかし、この場合には、たとえば複数のＩＣカードを重ねて、複数を同時にリーダライタにかざすと、リーダライタは、ＩＣカードの枚数チェックや認証を行うことなく書き込み動作を行い、各々のＩＣカードに同一データが書き込まれてしまうことも想定され、正確な残高管理ができないという別の不具合が生じるおそれもあった。
【０００７】
図５は、従来の前払い式の課金清算システムによるシステム構成を示した説明図である。サーバ１３に換金清算機１１および複数のリーダライタ２が各々接続され、各リーダライタ２にはＩＣカード１が対応して使用される。また、換金清算機１１には換金清算用のリーダライタ１２が接続されている。
【０００８】
各リーダライタ２はサーバ１３を介してネットワーク接続され、使用される各ＩＣカード１の認証用データはサーバ１３に保存される。また、図示していないが、必要に応じて、各リーダライタに換金清算機１１を設置する。  
【０００９】
しかしながら、これらの方法ではサーバ１３に大量の認証データが保存されるために、安全管理上の問題が生じていた。また、リーダライタや換金清算装置を同一のネットワーク上に設置しなければならないためにコスト高となることや、リーダライタ等の設置場所が、ネットワーク接続可能な場所に限定されるという問題もあった。さらに、清算機を多数配置すると、各々に現金を保管する必要が生じ、更なる安全管理も考慮しなければならなかった。
【００１０】
【特許文献１】特開平５−２２５４０５号公報
【発明の開示】
【発明が解決しようとする課題】
【００１１】
本発明の技術的課題は、記憶容量が少ない低価格のＩＣカードを用いても、大規模なネットワークシステムを構築することなく安全かつ正確な前払い式課金清算システムを提供することにある。
【課題を解決するための手段】
【００１２】
本発明は、非接触ＩＣカードもしくは非接触ＩＣタグとリーダライタを用いた前払い式課金清算システムであって、ネットワーク的に独立した複数のリーダライタと基本的には１台の換金清算装置の設置で運用を行う前払い式課金清算システムを提供するものである。
【００１３】
本発明の前払い式課金清算システムによれば、従来、信頼性が低いとされていた比較的記憶容量が少ない低価格のＩＣカードを前払い式カードとして使用する際に、課金対象機器を連続して使用する時のみに有効な認証情報をリーダライタが創成してＩＣカードとリーダライタに記憶させ、課金対象機器の使用終了時には、使用開始時に創成してリーダライタが記憶していた認証情報との一致を以て、本使用で消費した課金情報の更新をＩＣカードに行うことによって信頼性を格段に向上させた前払い式課金清算システムが得られる。
【００１４】
さらに、ＩＣカードの清算に際しては、使用中のＩＣカードとリーダライタ間の最終認証情報を利用して、清算用のＩＣカードに、最終的な課金情報を転記し、ネットワーク上独立した清算用リーダライタで清算することにより、信頼性を格段に向上させた前払い式課金清算システムが得られる。
【００１５】
本発明によれば、少なくとも２つの非接触ＩＣカードもしくは非接触ＩＣタグと、少なくとも２台のリーダライタを用いた前払い式課金清算システムであって、前記非接触ＩＣカードもしくは非接触ＩＣタグは、前記リーダライタとの認証を行うための認証情報の記憶領域と、課金情報の記憶領域を有し、前記リーダライタは、前記非接触ＩＣカードもしくは非接触ＩＣタグとの認証を行うための認証情報の記憶領域と、課金情報の記憶領域と、前記非接触ＩＣカードまたは非接触ＩＣタグの初期状態を判別する使用識別情報の記憶領域と、清算識別情報の記憶領域とを有してなり、前記非接触ＩＣカードもしくは非接触ＩＣタグの少なくとも１つは、課金情報の更新用カードとして機能し、少なくとも１つは清算用カードとして機能し、前記リーダライタの少なくとも一台は、課金対象手段が接続されてなるとともに課金情報の更新用リーダライタとして機能し、少なくとも一台は清算用リーダライタとして機能することを特徴とする前払い式課金清算システムが得られる。
【００１６】
本発明によれば、使用開始前に前記更新用カードの前記認証情報の記憶領域にあらかじめ記憶された初期認証情報と、前記リーダライタの前記使用識別情報とが一致することを特徴とする前払い式課金清算システムが得られる。
【００１７】
本発明によれば、前記清算用カードの前記認証情報の記憶領域にあらかじめ記憶された清算認証情報と、前記リーダライタの清算識別情報とが一致することを特徴とする前払い式課金清算システムが得られる。
【００１８】
本発明によれば、前記リーダライタと前記更新用カードの認証情報照合工程と、前記更新用カードの課金情報を前記リーダライタの課金情報として記憶する工程と、前記リーダライタによる新認証情報の創成工程と、前記新認証情報を前記更新用カードおよび前記リーダライタの認証情報として記憶する工程と、前記リーダライタが前記課金対象手段を始動させる工程と、前記リーダライタと前記更新用カードの認証情報再照合工程と、前記リーダライタによる新認証情報の再創成工程と、前記再創成された新認証情報を前記更新用カードおよび前記リーダライタの認証情報として記憶する工程と、前記課金対象手段の課金情報に対応するよう前記更新用カードの前記課金情報を更新する工程と、前記リーダライタが課金対象手段の動作を停止させる工程とからなり、前記認証情報照合工程または前記認証情報再照合工程において、前記更新用カードの前記認証情報と前記リーダライタの前記認証情報が一致する場合のみ、次工程に進むことを特徴とする前払い式課金清算システムが得られる。
【００１９】
本発明によれば、前記リーダライタと前記更新用カードの認証情報照合工程と、前記更新用カードの課金情報を前記リーダライタの課金情報として記憶する工程と、前記リーダライタによる新認証情報の創成工程と、前記新認証情報を前記更新用カードおよび前記リーダライタの認証情報として記憶する工程と、前記リーダライタが前記課金対象手段を始動させる工程と、前記リーダライタと前記清算用カードの認証情報照合工程と、前記リーダライタの課金情報を前記清算用カードの課金情報として記憶する工程と、前記リーダライタの課金情報を消去する工程と、前記リーダライタと前記更新用カードの認証情報再照合工程と、前記リーダライタによる新認証情報の再創成工程と、前記再創成された新認証情報を前記更新用カードおよび前記リーダライタの認証情報として記憶する工程と、前記更新用カードの前記課金情報を消去する工程と、前記リーダライタが課金対象手段の動作を停止させる工程とからなり、前記認証情報照合工程または前記認証情報再照合工程において、前記更新用カードの前記認証情報と前記リーダライタの前記認証情報が一致する場合のみ、次工程に進むことを特徴とする前払い式課金清算システムが得られる。
【００２０】
本発明によれば、前記更新用カードに前記認証情報として前記初期認証情報が記憶されている場合は、前記認証情報照合工程の前に、前記リーダライタは、新認証情報を創成し、前記更新用カードおよび前記リーダライタの前記認証情報として前記新認証情報を記憶する使用開始処理を実行することを特徴とする前払い式課金清算システムが得られる。
【００２１】
本発明によれば、前記清算用リーダライタの前記清算識別情報と前記清算用カードの認証情報を照合する工程と、前記清算用カードの課金情報に基づいて換金する工程と、前記清算用カードの課金情報を消去する工程からなり、前記清算識別情報と前記清算用カードの認証情報が一致する場合のみ、次工程に進むことを特徴とする前払い式課金清算システムが得られる。
【００２２】
本発明によれば、前記新認証情報の創成工程または前記新認証情報の再創成工程において、前記リーダライタは、乱数発生手段を有し、前記乱数値もしくは、前記乱数を変形または暗号化した値を前記新認証情報として創成することを特徴とする前払い式課金清算システムが得られる。
【００２３】
本発明によれば、前記リーダライタまたは前記更新用カードの認証情報のいずれか一方もしくは両方を固有の演算方式で変形または暗号化して得た値同士を照合して前記認証情報照合工程または前記認証情報再照合工程を実行することを特徴とする前払い式課金清算システムが得られる。
【発明の効果】
【００２４】
本発明により、記憶容量の少ない低価格のＩＣカードを用いても、大規模なネットワークシステムを構築することなく、ネットワーク的に独立した複数のリーダライタと基本的には１台の換金清算装置の設置で運用可能な、信頼性の高い前払い式課金清算システムが実現できる。
【発明を実施するための最良の形態】
【００２５】
本発明は、例えば病院で入院患者が個別に使用するテレビや冷蔵庫、コインランドリの洗濯機や乾燥機などに適した前払い式課金清算システムに適する。本発明の利用対象者および課金対象機器もしくは手段は、なんら限定されるものではないが、病院のテレビの課金清算システムを例にして、本発明の実施の形態を説明する。
【００２６】
入院患者用病棟の各病室には、患者専用のテレビが配され、このテレビには、非接触ＩＣカードまたは非接触ＩＣタグ（以下ＩＣカードまたはカードとも記載）と通信可能なリーダライタが接続されている。これらのリーダライタは、ネットワーク的に独立している。入院患者は、病院の売店やナースステーション、自動販売機などで、前述のＩＣカードを一定金額で購入し、このＩＣカードを病室のリーダライタにかざすことにより、テレビの電源スィッチを接続する。このＩＣカードは非接触方式なので、入院患者は、テレビを使用している間は、ＩＣカードを身近な任意の場所に保管しておく。テレビの使用を停止する場合は、先ほどのＩＣカードを、再度、前述のリーダライタにかざし、テレビの電源スィッチを遮断する。
【００２７】
図１は、本発明のＩＣカードとリーダライタの構成を説明した図である。ＩＣカード１はアンテナ３、送信回路４、受信回路５、制御回路６、メモリ７により構成され、メモリ７は、認証情報記憶領域７ａと課金情報記憶領域７ｂを有している。
【００２８】
リーダライタ２は、アンテナ３、送信回路４、受信回路５、メモリ７、ＣＰＵ８、インターフェース９により構成され、メモリ７は認証情報記憶領域７Ａ、課金情報記憶領域７Ｂ、使用識別情報記憶領域７Ｃ、清算識別情報記憶領域７Ｄを有している。また、ＩＣカード１とリーダライタ２は各々のアンテナ３を介して通信を行う。さらに、リーダライタ２には、課金対象手段として、テレビなどの図示しない課金対象機器が接続されている。
【００２９】
上記構成を有するＩＣカード１は、構成が同一のものをその用途別に、２種類のカードとして用いる。前述の病院の例で説明する。第１のカードは、入院患者が購入したカードで、テレビの使用時間の長さによって、課金され、使用の都度、使用可能な残存金額（ポイント）が減少する、いわゆる課金データ更新用カードである。第２のカードは、入院患者が退院などにより前記更新カードの残存金額を精算するときに用いる清算用カードである。この清算用カードは、例えば、売店やナースステーションに常備してあり、厳密に管理されて、入院患者に貸与して使用される。
【００３０】
さらに、上記構成を有するリーダライタ２も、構成が同一のものをその用途別に、便宜上２種類のカードリーダとして用いる。同様に前述の病院の例で説明する。第１のリーダライタは、入院患者の病室にテレビなどの課金対象機器に原則として１台ずつ接続されているもので、更新用カードと通信して、前記課金対象機器の電源管理および課金情報の管理等、更新用カードの認証情報・課金情報の照合、更新、消去等、清算用カードの認証情報・課金情報の照合、更新等を実行する。第２のリーダライタは、例えば病院の共有領域に独立して設置されるもので、清算用カードの認証情報・課金情報の照合、消去等を実行する。
【００３１】
使用開始前のＩＣカード１（更新用カード）の認証情報記憶領域７ａには、ＩＣカード１の初期状態をリーダライタが識別することが可能なように、リーダライタ２の使用識別情報記憶領域７Ｃにあらかじめ記憶されている使用識別情報と同一の情報が記憶されている。利用者（入院患者）は、このＩＣカード１（更新用カード）を、自分の病室の課金対象機器（テレビ）に接続されているリーダライタ２（更新用リーダライタ）にかざすと、リーダライタ２は、ＩＣカード１の認証情報記憶領域７ａの情報と、リーダライタ２の認証情報記憶領域７Ａの情報を照合し、一致しないので、認証情報記憶領域７ａの情報と使用識別情報記憶領域７Ｃを照合する。
【００３２】
認証情報記憶領域７ａの情報と使用識別情報記憶領域７Ｃは、一致するので、リーダライタ２は、未使用のＩＣカードが使用されたことを認識し、ＩＣカード１の課金情報記憶領域７ｂの課金情報をリーダライタ２の課金情報記憶領域７Ｂに記憶し、かつＣＰＵ８で発生した乱数値を、認証情報記憶領域７ａと７Ａの両方に記憶させる。これは、非接触方式であるが故に同一のＩＣカード１が、連続してリーダライタ２に認識されない場合が想定され、このような場合には、正しい課金情報の更新が行われない可能性が高くなるので、これを未然に防止するためである。さらに、リーダライタ２は課金情報記憶領域７Ｂの課金情報の利用可能残高（ポイント）がゼロでないことを確認して、次の処理に進む。
【００３３】
続いて、リーダライタ２は、接続された課金対象機器（テレビ）の電源スィッチを接続させ、利用者（入院患者）は、課金対象機器（テレビ）を使用する。一定時間経過後、利用者は、再び、ＩＣカード１を取り出し、リーダライタ２にかざすと、リーダライタ２は、認証情報記憶領域７ａと認証情報記憶領域７Ａの情報を照合し、一致している場合は、再びＣＰＵ８で発生した新たな乱数値を、認証情報記憶領域７ａと認証情報記憶領域７Ａの両方に記憶させる。
【００３４】
リーダライタ２は、課金対象機器の使用に応じた金額（ポイント）を、課金情報記憶領域７Ｂの情報に基づいて算出し、ＩＣカード１の課金情報記憶領域７ｂに記憶させ、課金対象機器の電源スィッチを遮断させる。
【００３５】
次回以降、利用者が課金対象機器を使用する際は、リーダライタ２の認証情報記憶領域７Ａに、直前に使用したＩＣカード１の認証情報が残っているので、認証情報記憶領域７Ａと認証情報記憶領域７ａの照合を行い、上述と同様の課金処理を行う。
【００３６】
なお、前述もしくは後述の処理において、未使用ＩＣカードや後述する清算用カード以外のＩＣカードの使用、もしくは不適切なＩＣカードの使用により、認証情報の照合に失敗した場合や、課金情報記憶領域７ｂの課金情報の利用可能残高（ポイント）がゼロの場合およびその他の予期しない事態が生じた場合は、音、光、文字表示などの一般的な手段でエラー発生および必要に応じてエラーの種別を表示し、処理を中断するのが好ましい。
【００３７】
利用者は、利用可能残高がゼロとなった場合であって、さらに課金対象機器の使用を継続したい場合は新規カードを購入することによって、同様に使用を継続できる。しかしながら、利用可能残高が残存しているにもかかわらず、使用を中止したい場合は清算用カードを入手して、以下の処理を行う。
【００３８】
図２および図３は、本発明による清算手続きを行う場合のシステムの説明図を示している。図２、図３および図１を用いて、清算処理を説明する。清算を行いたい利用者（上記例では、入院患者）は、指定された管理者（ナースステーションや売店等の管理者）から、清算用カード１０を借りる。続いて、利用者は、リーダライタ２（各病室に設置）に清算したいＩＣカード１をかざす。リーダライタ２は、ＩＣカード１と通信し、図３に示した認証情報記憶領域７Ａと認証情報記憶領域７ａの照合を行い、一致した場合には、通常の電源接続動作と同様の処理を行い、課金対象機器２０（テレビ）の電源スィッチを接続させる。
【００３９】
次に、利用者は、清算用カード１０をリーダライタ２にかざす。リーダライタ２は、認証情報記憶領域７Ａと認証情報記憶領域７ａの照合を行うが、清算用カードの認証情報記憶領域７ａには、リーダライタ２の清算識別情報記憶領域７Ｄに記憶された清算識別情報と同一の値が記憶されているので一致しない。従って、リーダライタ２は、認証情報記憶領域７ａの情報と使用識別情報記憶領域７Ｃの照合（未使用ＩＣカードか否か）および認証情報記憶領域７ａの情報と清算識別情報記憶領域７Ｄの照合（清算用カードか否か）を行う。この場合は、清算用カードであることを認識し、リーダライタ２の課金情報記憶領域７Ｂに記憶された課金情報を清算用カードの課金情報記憶領域７ｂに記憶させ、課金情報記憶領域７Ｂの課金情報を消去（ゼロクリア）する。
【００４０】
続いて利用者が清算したいＩＣカード１をリーダライタ２にかざすと、リーダライタ２は、課金対象機器２０の通常の利用終了処理と同様に、認証情報記憶領域７ａと７Ａの情報を照合し、一致している場合は、ＣＰＵ８で発生した新たな乱数値を、認証情報記憶領域７ａと認証情報記憶領域７Ａの両方に記憶させる。続いて、消去されてゼロとなっているリーダライタ２の課金情報記憶領域７Ｂの課金情報に基づいて利用残高（ポイント）を算出し（すなわちゼロ値となる）、ＩＣカード１の課金情報記憶領域７ｂに記憶（すなわち消去）させてから、課金対象機器２０の電源を遮断する。
【００４１】
利用者は、清算用カード１０を他の任意の場所（病院であれば、待合室や共有領域等）に設置された清算用リーダライタ１２に運び、清算用リーダライタ１２にかざすと、清算識別情報領域７Ｄと認証情報記憶領域７ｂとを照合し、一致した場合は、清算用カードの課金情報領域７ｂの課金情報を、清算用リーダライタ１２の課金情報記憶領域７Ｂに記憶させ、この課金情報７Ｂを元に、清算用リーダライタ１２に接続された換金清算機１１に換金清算指示を行い、換金する。同時に清算用カードの課金情報領域７ｂの課金情報をゼロに書き換えて、清算処理を終了する。利用者は、清算用カード１０を前述の管理者に返却する。
【００４２】
なお、換金清算指示にもかかわらず、換金がなされない場合は一般的な方法でエラーを表示し、一般的な方法でエラーを解消する処理を行う。
【００４３】
清算処理を行いたい利用者に、清算用カード１０に引き続いて、清算したいＩＣカード１を、リーダライタ２と通信させるために、必要に応じてリーダライタ２が操作指示を行う手段を設けてもよい。
【００４４】
上記処理において、上記順番で行った場合と最終結果が異ならない範囲であれば、必要に応じて、処理の順番を変えてもよい。
【００４５】
認証情報の照合においては、認証情報記憶領域７ａおよび認証情報記憶領域７Ａ、使用識別情報記憶領域７Ｃ、清算識別情報記憶領域７Ｄからなる任意の組み合わせを照合する場合において、上記領域に記憶された情報同士を直接照合しても、少なくとも一方の情報を、一定の規則に基づいて変形し、または暗号変換方式に基づいて変形した値を用いて照合してもよい。暗号変換方式を用いることは、信頼性向上の上で好ましい。
【００４６】
清算用カードおよび清算用リーダライタは、上記例に於いては共用としたが、必要に応じて利用者毎の専用としてもよい。また、清算用リーダライタは、ＣＰＵの設定を変更することで、課金管理用として説明したその他のリーダライタと兼用させてもよい。
【００４７】
なお、本発明によれば、通信の都度、新たな認証データを創成して、リーダライタとＩＣカードの認証を行うので、想定された連続すべき処理を連続して行わず、誤認または意図的に不正な処理を行った場合には、利用残高が残存していても、カードそのものが使用不能となる。
【００４８】
すなわち、本発明においては、比較的記憶容量の小さい安価なＩＣカードやＩＣタグを用い、リーダライタとカードの認証情報記憶領域が複数組設定できない場合であっても、通信の都度、あらたな認証情報を創成して、リーダライタとカードの両方に記憶し、直前の認証情報を用いて、照合を繰り返すことにより、認証情報記憶領域の記憶容量を節約しつつ、信頼度を高めている。
【実施例】
【００４９】
図１に示したＩＣカード１を４枚とリーダライタ２を４台用意した。また、図２および図３に倣い、そのうちの１枚のＩＣカードを清算用カード１０、１台のリーダライタを清算用リーダライタ１２として、清算用リーダライタ１２には、換金清算機１１を接続し、残り３台のリーダライタ２には、課金対象機器２０としてテレビを１台ずつ接続した。
【００５０】
３枚のＩＣカード１と清算用カード１０の認証情報記憶領域７ａと、リーダライタ２と清算用リーダライタ１２の使用識別情報記憶領域７Ｃには、「００００」を、あらかじめ記憶させた。また、清算用カード１０の認証情報記憶領域７ａとリーダライタ２および清算用リーダライタ１２の清算識別情報記憶領域７Ｄには、「９９９９」をあらかじめ記憶させた。３枚のＩＣカード１の課金情報記憶領域７ｂには、１ポイント１円として１０００ポイント分を示す「１０００」を、その他の上記記載のない記憶領域には、任意の４桁の数字を記憶させた。以下、上記３枚のＩＣカード１をそれぞれカードＡ、カードＢ、カードＣ、３台のリーダライタ２をそれぞれリーダライタＡ、リーダライタＢ、リーダライタＣと称する。
【００５１】
（実施例１）
前述の、発明を実施するための最良の形態に記載した手順に従い、カードＡを未使用カードとして使用を開始した。１分使用する毎に１００ポイントずつ課金情報記憶領域７ｂから減算していき、リーダライタＡに接続されているテレビを２分間ずつ２回利用して、「０６００」になったことを確認し、カードＡ（ＩＣカード１）と、清算用カード１０を用いて、清算用カードに課金情報を転記した。この時のカードＡの課金情報記憶領域７ｂおよびリーダライタＡ（リーダライタ２）の課金情報記憶領域７Ｂは「００００」に、清算用カード１０の課金情報記憶領域７ｂは「０６００」になっていた。さらに、該清算用カード１０と清算用リーダライタ１２を用いて清算した結果、６００円が換金され、清算用カード１０の課金情報記憶領域７ｂは「００００」になった。
【００５２】
なお、カードＡの認証情報記憶領域７ａおよびリーダライタＡの認証情報記憶領域７Ａは「０２１７」、清算用カード１０の認証情報記憶領域７ａ、リーダライタＡおよび清算用リーダライタ１２の使用識別情報記憶領域７Ｃと清算識別情報記憶領域７Ｄの値は、初期値のままであり、カードＡ、清算用カード１０、リーダライタＡ、清算用リーダライタ１２および各接続装置が正常に機能したことを確認した。
【００５３】
（実施例２）
同様に、前述の発明を実施するための最良の形態に記載した手順に従い、カードＢを未使用カードとして使用を開始した。１分使用する毎に１００ポイントずつ課金情報記憶領域７ｂから減算していき、リーダライタＢに接続されているテレビを１分間利用した後に、カードＣを用いて、該テレビの電源を遮断しようとしたところ、エラー表示がなされ、遮断できなかった。エラー表示を解除した後、カードＢをリーダライタＢにかざしたところ、該テレビの電源は正常に遮断された。カードＢの課金情報記憶領域７ｂとリーダライタＢの課金情報記憶領域７Ｂは、２分間の使用を示す「０８００」となっており、カードＢの認証情報記憶領域７ａとリーダライタＢの認証情報記憶領域７Ａは新たな認証情報「０７２２」になっていた。カードＣの認証情報記憶領域７ａおよび課金情報記憶領域７ｂ、リーダライタＢの使用識別情報記憶領域７Ｃと清算識別情報記憶領域７Ｄの値は、初期値のままであり、カードＢ、カードＣ、リーダライタＢおよび接続装置が正常に機能したことを確認した。
【００５４】
（実施例３）
同様に、前述の発明を実施するための最良の形態に記載した手順に従い、実施例２で使用した認証情報記憶領域７ａが「０７２２」であるカードＢを、リーダライタＣにかざし、該リーダライタＣに接続されたテレビの電源スィッチを接続しようとしたところ、エラー表示がなされ、接続できなかった。エラー表示を解除した後、未使用状態のカードＣをリーダライタＣにかざしたところ、該テレビの電源は正常に接続された。カードＢの認証情報記憶領域７ａは「０７２２」のままで、課金情報記憶領域７ｂにも変化はなかった。また、カードＣの認証情報記憶領域７ａとリーダライタＣの認証情報記憶領域７Ａは新たな認証情報「０１２４」となっていた。さらにカードＣの課金情報記憶領域７ｂとリーダライタＣの課金情報記憶領域７Ｂは、未使用を示す「１０００」であった。リーダライタＣの使用識別情報記憶領域７Ｃと清算識別情報記憶領域７Ｄの値は、初期値のままであり、カードＣ、リーダライタＣおよび接続装置が正常に機能したことを確認した。
【００５５】
（実施例４）
上記実施例１ないし実施例３の利用対象機器として、ロッカーを用いて検証したところ同様に正常に機能した。
【００５６】
（実施例５）
上記実施例１ないし実施例３の利用対象機器として、インターネット接続装置を用いて検証したところ同様に正常に機能した。
【００５７】
以上、例を挙げて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれることは勿論である。
【産業上の利用可能性】
【００５８】
本発明は、入院患者等が病室で使用するテレビや冷蔵庫等の機器、スポーツクラブ等のロッカー、短期滞在型マンションや宿泊施設のインターネット接続、コインランドリの洗濯機や乾燥機、娯楽施設や宿泊施設等の利用に伴う前払い式課金清算システムなどの多様なシステムの構築に利用できる。
【図面の簡単な説明】
【００５９】
【図１】本発明の非接触ＩＣカードとリーダライタの構成を示した図。
【図２】本発明のシステム構成の説明図。
【図３】本発明のシステム構成の説明図。
【図４】従来の非接触ＩＣカードとリーダライタの構成を示した図。
【図５】従来のシステム構成の説明図。
【符号の説明】
【００６０】
１    ＩＣカード
２    リーダライタ
３    アンテナ
４    送信回路
５    受信回路
６    制御回路
７    メモリ
７ａ    認証情報記憶領域
７ｂ    課金情報記憶領域
７Ａ    認証情報記憶領域
７Ｂ    課金情報記憶領域
７Ｃ    使用識別情報記憶領域
７Ｄ    清算識別情報記憶領域
８    ＣＰＵ
９    インターフェース
１０    清算用カード
１１    換金清算機
１２    清算用リーダライタ
１３    サーバ
２０    課金対象機器    
【図１】
2007011695.tif 000003
【図２】
2007011695.tif 000004
【図３】
2007011695.tif 000005
【図４】
2007011695.tif 000006
【図５】
2007011695.tif 000007